【手続補正書】
【提出日】平成23年3月15日(2011.3.15)
【手続補正１】
【補正対象書類名】特許請求の範囲
【補正対象項目名】全文
【補正方法】変更
【補正の内容】
【特許請求の範囲】
【請求項１】
インクジェットヘッドと、
前記インクジェットヘッド対向する位置にあるプラテンと、
記録紙を搬送するための搬送路と、
前記搬送路に沿って前記記録紙を把持しながら搬送する紙送り機構と、
前記プラテンに前記記録紙を吸引する吸引機構と、
前記吸引機構による吸引動作を停止するときに、少なくとも前記記録紙の先端部分が前記紙送り機構によって把持されていない場合には、前記紙送り機構により前記記録紙の搬送を行わせて、少なくとも当該記録紙の先端部分を前記紙送り機構によって把持された状態にする制御部とを有していることを特徴とするインクジェットプリンタ。
【請求項２】
請求項１に記載のインクジェットプリンタにおいて、
前記制御部は、
前記吸引機構による吸引動作を停止するときに、少なくとも前記記録紙の先端部分が前記インクジェットヘッドの位置にある場合には、前記紙送り機構により前記記録紙の搬送を行わせて、少なくとも当該記録紙の先端部分を前記紙送り機構によって把持された状態にすることを特徴とするインクジェットプリンタ。
【請求項３】
請求項１または２に記載のインクジェットプリンタにおいて、
前記紙送り機構は、
少なくとも前記プラテンの下流側に配置されている紙送りローラ対を含むものであり、
前記制御部は、
前記吸引機構による吸引動作を停止するときに、少なくとも記記録紙の先端部分が前記紙送りローラ対によって把持されていない場合には、前記紙送り機構により前記記録紙の搬送を行わせて、少なくとも当該記録紙の先端部分を前記紙送りローラ対によって把持された状態にすることを特徴とするインクジェットプリンタ。
【請求項４】
請求項１または２に記載のインクジェットプリンタにおいて、
前記紙送り機構は、
前記プラテンの下流側に配置されている下流側紙送りローラ対と、前記プラテンの上流側に配置されている上流側紙送りローラ対を含むものであり、
前記制御部は、
前記吸引機構による吸引動作を停止するときに、少なくとも前記記録紙の先端部分が前記下流側紙送りローラ対によって把持されていない場合には、前記紙送り機構により前記記録紙の搬送を行わせて、少なくとも当該記録紙の先端部分を前記下流側紙送りローラ対または前記上流側紙送りローラ対によって把持された状態にすることを特徴とするインクジェットプリンタ。
【請求項５】
請求項１ないし４のいずれかの項に記載のインクジェットプリンタにおいて、
前記制御部は、前記インクジェットプリンタを省電力状態または電源オフ状態に移行するときに前記吸引機構による吸引動作を停止することを特徴とするインクジェットプリンタ。
【請求項６】
請求項１ないし５のいずれかの項に記載のインクジェットプリンタにおいて、
前記制御部は、前記吸引機構による吸引動作を再開するときには、前記紙送り機構により少なくとも前記記録紙の先端部分を前記インクジェットヘッドの位置まで搬送することを特徴とするインクジェットプリンタ。
【請求項７】
請求項１ないし６のいずれかの項に記載のインクジェットプリンタにおいて、
前記記録紙がロール状に巻き取られた構成のロール紙を装填するロール紙装填部を有し、
前記搬送路における下流側には、前記ロール紙装填部にある前記ロール紙から引き出された前記記録紙を切断する切断機構が配置されており、
前記制御部は、前記吸引機構による吸引動作を停止するときに、少なくとも前記記録紙の先端部分が前記紙送り機構によって把持されていない場合には、前記記録紙の先端部分が前記切断機構に至るまで前記記録紙の搬送を行わせることを特徴とするインクジェットプリンタ。
【請求項８】
インクジェットヘッドと、
前記インクジェットヘッドに対向するプラテンと、
記録紙を搬送するための搬送路と、
前記搬送路に沿って前記記録紙を搬送する紙送り機構と、
前記プラテンに前記記録紙を吸引する吸引機構と、を備えるインクジェットプリンタの記録紙搬送方法であって、
前記紙送り機構により、少なくとも前記記録紙の先端部分を前記インクジェットヘッドの位置まで搬送して、前記吸引機構により吸引した状態で待機させ、
前記待機の途中で前記吸引機構による吸引を停止するときには、少なくとも前記記録紙の先端部分を前記紙送り機構によって把持される位置まで搬送することを特徴とするインクジェットプリンタの記録紙搬送方法。
【手続補正２】
【補正対象書類名】明細書
【補正対象項目名】０００６
【補正方法】変更
【補正の内容】
【０００６】
上記課題を解決するために、本発明のプリンタは、
インクジェットヘッドと、
前記インクジェットヘッドの印刷位置を規定しているプラテンと、
前記印刷位置を経由して長尺状の記録紙を搬送するための搬送路と、
前記搬送路における前記プラテンの下流側に配置されている紙送りローラ対を備え、前記搬送路に沿って前記記録紙を搬送する紙送り機構と、
前記プラテンの表面に前記記録紙を吸引する吸引機構と、
前記吸引機構による吸引動作を停止するときに前記記録紙が前記紙送りローラ対によって把持されていない場合には、前記記録紙の搬送を行わせて、当該記録紙が前記紙送りローラ対によって把持された状態にする制御部とを有していることを特徴とする。
また、インクジェットヘッドと、
前記インクジェットヘッド対向する位置にあるプラテンと、
記録紙を搬送するための搬送路と、
前記搬送路に沿って前記記録紙を把持しながら搬送する紙送り機構と、
前記プラテンに前記記録紙を吸引する吸引機構と、
前記吸引機構による吸引動作を停止するときに、少なくとも前記記録紙の先端部分が前記紙送り機構によって把持されていない場合には、前記紙送り機構により前記記録紙の搬送を行わせて、少なくとも当該記録紙の先端部分を前記紙送り機構によって把持された状態にする制御部とを有していることを特徴とする。
また、前記制御部は、
前記吸引機構による吸引動作を停止するときに、少なくとも前記記録紙の先端部分が前記インクジェットヘッドの位置にある場合には、前記紙送り機構により前記記録紙の搬送を行わせて、少なくとも当該記録紙の先端部分を前記紙送り機構によって把持された状態にすることを特徴とする。
また、前記紙送り機構は、
少なくとも前記プラテンの下流側に配置されている紙送りローラ対を含むものであり、
前記制御部は、
前記吸引機構による吸引動作を停止するときに、少なくとも記記録紙の先端部分が前記紙送りローラ対によって把持されていない場合には、前記紙送り機構により前記記録紙の搬送を行わせて、少なくとも当該記録紙の先端部分を前記紙送りローラ対によって把持された状態にすることを特徴とする。
また、前記紙送り機構は、
前記プラテンの下流側に配置されている下流側紙送りローラ対と、前記プラテンの上流側に配置されている上流側紙送りローラ対を含むものであり、
また、前記制御部は、
前記吸引機構による吸引動作を停止するときに、少なくとも前記記録紙の先端部分が前記下流側紙送りローラ対によって把持されていない場合には、前記紙送り機構により前記記録紙の搬送を行わせて、少なくとも当該記録紙の先端部分を前記下流側紙送りローラ対または前記上流側紙送りローラ対によって把持された状態にすることを特徴とする。
【手続補正３】
【補正対象書類名】明細書
【補正対象項目名】０００８
【補正方法】変更
【補正の内容】
【０００８】
本発明において、前記制御部は、前記インクジェットプリンタを省電力状態または電源オフ状態に移行するときに前記吸引機構による吸引動作を停止するとよい。このように、省電力状態または電源オフ状態に移行するときにはプリンタ各部への電源供給が一部あるいは全部停止するために吸引機構も停止してしまうが、本発明では、そのような状態でも、記録紙を紙送りローラによって搬送路から浮き上がらないように保持しておくことができる。よって、省電力状態または電源オフ状態から復帰した後の紙ジャムや印刷不良の発生を抑制できる。
【手続補正４】
【補正対象書類名】明細書
【補正対象項目名】０００９
【補正方法】変更
【補正の内容】
【０００９】
本発明において、前記制御部は、前記吸引機構による吸引動作を再開するときには、前記記録紙を前記インクジェットヘッドによる印刷時とは逆方向に搬送させ、前記記録紙の先端部分を前記プラテン上の印刷開始位置まで戻すとよい。
また、前記制御部は、前記吸引機構による吸引動作を再開するときには、前記紙送り機構により少なくとも前記記録紙の先端部分を前記インクジェットヘッドの位置まで搬送することを特徴とする。
このようにすれば、吸引動作を再開した後には印刷開始位置で記録紙を待機させることができるので、次の印刷指令を受信したときに速やかに印刷を開始することができる。
【手続補正５】
【補正対象書類名】明細書
【補正対象項目名】００１０
【補正方法】変更
【補正の内容】
【００１０】
本発明において、前記記録紙がロール状に巻き取られた構成のロール紙を装填するロール紙装填部を有し、
前記搬送路における下流側には、前記ロール紙装填部にある前記ロール紙から引き出された前記記録紙を切断する切断機構が配置されており、
前記制御部は、前記吸引機構による吸引動作を停止するときに、少なくとも前記記録紙の先端部分が前記紙送り機構によって把持されていない場合には、前記記録紙の先端部分が前記切断機構に至るまで前記記録紙の搬送を行わせることを特徴とする。
本発明において、前記記録紙がロール状に巻き取られた構成のロール紙を装填するロール紙装填部を有しているとよい。このように、ロール紙を装填してロール紙から繰り出される巻き癖がついた記録紙に印刷するインクジェットプリンタでは、ロール紙がカールして搬送路から浮き上がりやすいが、吸引機構による吸引動作が停止したときには紙送りローラ対によって把持させておくことにより、紙ジャムや印刷不良の発生を抑制できる。
【手続補正６】
【補正対象書類名】明細書
【補正対象項目名】００１２
【補正方法】変更
【補正の内容】
【００１２】
本発明において、インクジェットヘッドと、
前記インクジェットヘッドに対向するプラテンと、
記録紙を搬送するための搬送路と、
前記搬送路に沿って前記記録紙を搬送する紙送り機構と、
前記プラテンに前記記録紙を吸引する吸引機構と、を備えるインクジェットプリンタの記録紙搬送方法であって、
前記紙送り機構により、少なくとも前記記録紙の先端部分を前記インクジェットヘッドの位置まで搬送して、前記吸引機構により吸引した状態で待機させ、
前記待機の途中で前記吸引機構による吸引を停止するときには、少なくとも前記記録紙の先端部分を前記紙送り機構によって把持される位置まで搬送することを特徴とする。
次に、本発明は、上記構成のインクジェットプリンタの記録紙搬送方法であって、
前記ロール紙装填部から繰り出した前記記録紙を前記記録紙切断位置まで搬送して切断し、
切断後の前記記録紙の先端部分を前記プラテン上の印刷開始位置まで後退させ、前記記録紙における前記プラテンの表面上に位置する部分を前記吸引機構により吸引した状態で印刷待機させ、
前記印刷待機の途中で前記吸引機構による吸引を停止するときには、前記記録紙の先端部分を前記紙送りローラ対によって把持される位置まで搬送して、前記記録紙における前記プラテンの表面上に位置している部分が当該表面から浮き上がることを防止し、
前記吸引機構による吸引を再開するときには、前記記録紙の先端部分を前記印刷開始位置まで戻すことを特徴とする。